(57)【要約】  静的マルチビューディスプレイ及び静的マルチビューディスプレイの動作の方法は、異なる半径方向を有する導波光ビームからの光を回折散乱させる回折格子を使用して静的マルチビュー画像を生成する。静的マルチビューディスプレイは、複数の導波光ビームを導波するように構成されたライトガイドと、異なる半径方向を有する複数の導波光ビームを生成するように構成された光源とを備える。静的マルチビューディスプレイは、導波光ビームの一部から、静的マルチビュー画像のビューピクセルに対応する強度及び主角度方向を有する指向性光ビームを生成するように構成された複数の回折格子をさらに備える。
2020507798.tif 000002
【特許請求の範囲】
【請求項１】
静的マルチビューディスプレイであって、
光ビームを導波するように構成されたライトガイドと、
前記ライトガイド上の入力位置にある光源であって、前記ライトガイド内に互いに異なる半径方向を有する複数の導波光ビームを生成するように構成されている、光源と、
静的マルチビュー画像を表す指向性光ビームを放射するように構成された複数の回折格子であって、各回折格子が、前記複数の導波光ビームのうちの１つの導波光ビームの一部から、前記静的マルチビュー画像のビューピクセルの強度及びビュー方向に対応する強度及び主角度方向を有する１つの指向性光ビームを生成するように構成されている、回折格子と
を備える、静的マルチビューディスプレイ。
【請求項２】
前記光源の前記入力位置が、前記ライトガイドの側面上の前記側面の中間点あたりにある、請求項１に記載の静的マルチビューディスプレイ。
【請求項３】
前記回折格子の格子の特徴が、前記強度及び前記主角度方向を決定するように構成されており、前記格子の特徴が、前記ライトガイドの表面上の前記回折格子の位置及び前記ライトガイドの側面上の前記光源の前記入力位置の両方の関数である、請求項１に記載の静的マルチビューディスプレイ。
【請求項４】
前記格子の特徴が、前記回折格子の格子ピッチ及び前記回折格子の格子方向のうちの１つ又は両方を含み、前記格子の特徴が、前記回折格子により生成される前記指向性光ビームの前記主角度方向を決定するように構成されている、請求項３に記載の静的マルチビューディスプレイ。
【請求項５】
前記格子の特徴が、前記回折格子により生成される前記指向性光ビームの前記強度を決定するように構成された格子深さを含む、請求項３に記載の静的マルチビューディスプレイ。
【請求項６】
前記複数の指向性光ビームのうちの１つの指向性光ビームの放射パターンが、前記複数の導波光ビームの伝搬方向に対して平行な方向において、前記複数の導波光ビームの前記伝搬方向に対して垂直な方向よりも広い、請求項１に記載の静的マルチビューディスプレイ。
【請求項７】
前記複数の回折格子が、前記ライトガイドの光ビーム放射表面とは反対側の前記ライトガイドの表面上に位置する、請求項１に記載の静的マルチビューディスプレイ。
【請求項８】
前記光源と前記ライトガイドとの間にコリメータをさらに備える、請求項１に記載の静的マルチビューディスプレイであって、前記コリメータが、前記光源により放射された光をコリメートするように構成されており、前記複数の導波光ビームが、コリメートされた光ビームを含む、静的マルチビューディスプレイ。
【請求項９】
前記ライトガイド上の横方向にオフセットした別の入力位置にある別の光源をさらに備える、請求項１に記載の静的マルチビューディスプレイであって、他方の光源が、別の複数の導波光ビームを生成するように構成されており、前記複数の導波光ビーム及び他方の複数の導波光ビームが、互いに異なる半径方向を有し、前記光源と前記他方の光源との間の切替えが、前記静的マルチビュー画像を動画化するように構成されており、準静的マルチビューディスプレイである、静的マルチビューディスプレイ。
【請求項１０】
前記ライトガイドが、前記ライトガイド内の前記複数の導波光ビームのうちの１つの導波光ビームの伝搬方向と直交する方向に伝搬する光に対して透明である、請求項１に記載の静的マルチビューディスプレイ。
【請求項１１】
静的マルチビューディスプレイであって、
平板ライトガイドと、
前記平板ライトガイド内に互いに異なる半径方向を有する複数の導波光ビームを生成するように構成された光源と、
静的マルチビュー画像の複数の異なるビューを生成するように構成されたマルチビューピクセルのアレイであって、マルチビューピクセルが、前記マルチビューピクセルのビューピクセルを表す指向性光ビームを生成するために前記複数の導波光ビームからの光を回折結合して外に出すように構成された複数の回折格子を備える、マルチビューピクセルのアレイと
を備え、
前記複数の回折格子のうちの１つの回折格子により生成される１つの指向性光ビームの主角度方向が、格子の特徴の関数であり、前記格子の特徴が、前記回折格子と前記光源との相対位置の関数である、静的マルチビューディスプレイ。
【請求項１２】
前記格子の特徴が、前記回折格子の格子ピッチ及び格子方向のうちの１つ又は両方を含む、請求項１１に記載の静的マルチビューディスプレイ。
【請求項１３】
対応するビューピクセルの強度に対応する、前記回折格子により生成される前記指向性光ビームの強度が、前記回折格子の回折結合効率により決定される、請求項１１に記載の静的マルチビューディスプレイ。
【請求項１４】
前記光源が、前記ライトガイドの側面に沿って第２の光エミッタから横方向にオフセットした第１の光エミッタを含み、前記第１の光エミッタが、第１の複数の導波光ビームを生成するように構成されており、前記第２の光エミッタが、第２の複数の導波光ビームを生成するように構成されている、請求項１１に記載の静的マルチビューディスプレイ。
【請求項１５】
前記ライトガイドが、前記ライトガイド内の前記複数の導波光ビームのうちの１つの導波光ビームの伝搬方向と直交する方向に透明である、請求項１１に記載の静的マルチビューディスプレイ。
【請求項１６】
静的マルチビューディスプレイの動作の方法であって、
共通の原点と、互いに異なる半径方向とを有する複数の導波光ビームをライトガイド内で導波するステップと、
複数の回折格子を使用して静的マルチビュー画像を表す複数の指向性光ビームを放射するステップであって、前記複数の回折格子のうちの１つの回折格子が、前記複数の導波光ビームからの光を回折結合して、前記静的マルチビュー画像の対応するビューピクセルの強度及び主角度方向を有する前記複数の指向性光ビームのうちの１つの指向性光ビームとして外に出す、ステップと
を含み、
前記放射された指向性光ビームの前記強度及び主角度方向が、前記共通の原点に対する前記回折格子の位置に基づいている前記回折格子の格子の特徴により制御される、方法。
【請求項１７】
前記主角度方向を制御する格子の特徴が、前記回折格子の格子ピッチ及び格子方向のうちの１つ又は両方を含む、請求項１６に記載の静的マルチビューディスプレイの動作の方法。
【請求項１８】
前記強度を制御する前記格子の特徴が、前記回折格子の格子深さを含む、請求項１６に記載の静的マルチビューディスプレイの動作の方法。
【請求項１９】
前記複数の導波光ビームとして導波される光を光源を使用して生成するステップであって、前記光源が、前記ライトガイドの側面に位置しており、前記光源の位置が、前記複数の導波光ビームの前記共通の原点である、ステップをさらに含む、請求項１６に記載の静的マルチビューディスプレイの動作の方法。
【請求項２０】
第１の複数の光導波光ビームを第１の時間の間導波し、且つ第２の複数の導波光ビームを第２の期間の間の第２の時間の間導波することにより前記静的マルチビュー画像を動画化するステップであって、前記第１の複数の導波光ビームが、前記第２の複数の導波光ビームの共通の原点とは異なる共通の原点を有し、動画化が、前記第１及び第２の時間の間の前記静的マルチビュー画像の見かけの位置のシフトを含む、ステップをさらに含む、請求項１６に記載の静的マルチビューディスプレイの動作の方法。
【発明の詳細な説明】
【技術分野】
【０００１】
関連出願の相互参照
本出願は、２０１７年１月６日に出願された米国仮特許出願第６２／４４２，９８２号（その全体が参照により本明細書に組み込まれる。）に対する優先権を主張する。
【０００２】
連邦政府資金による研究開発の記載
なし
【背景技術】
【０００３】
ディスプレイ、とりわけ「電子」ディスプレイは、多種多様なデバイス及び製品のユーザに情報を通信するためのほぼユビキタスな媒体である。例えば、電子ディスプレイは、これらに限定されないが、携帯電話（例えば、スマートフォン）、腕時計、タブレットコンピュータ、モバイルコンピュータ（例えば、ラップトップコンピュータ）、パーソナルコンピュータ及びコンピュータモニタ、自動車用ディスプレイコンソール、カメラディスプレイ、及びその他の様々なモバイル並びに実質的に非モバイルのディスプレイ用途及びデバイスを含む様々なデバイス並びに用途に見出すことができる。電子ディスプレイは一般に、通信されている画像又は同様の情報を表し、又は表示するために、ピクセル（画素）強度の個別的なパターンを使用する。個別的なピクセル強度パターンは、パッシブ電子ディスプレイの場合のように、ディスプレイに入射する光を反射することにより実現することができる。あるいは、電子ディスプレイは、個別的なピクセル強度パターンを実現するために、光を生成又は放射することができる。光を放射する電子ディスプレイは、しばしば、アクティブディスプレイと呼ばれる。
【発明の概要】
【０００４】
本明細書に記載の原理による例及び実施形態の様々な特徴は、同様の参照番号が同様の構成要素を指す添付図面と併せて以下の発明を実施するための形態を参照して、より容易に理解することができる。
【図面の簡単な説明】
【０００５】
【図１Ａ】本明細書に記載の原理と一致する１つの実施形態による、一例におけるマルチビューディスプレイの斜視図を示す。
【図１Ｂ】本明細書に記載の原理と一致する１つの実施形態による、一例におけるマルチビューディスプレイのビュー方向に対応する特定の主角度方向を有する光ビームの角度成分の図的表現を示す。
【図２】本明細書に記載の原理と一致する１つの実施形態による、一例における回折格子の断面図を示す。
【図３Ａ】本明細書に記載の原理と一致する１つの実施形態による、一例における静的マルチビューディスプレイの平面図を示す。
【図３Ｂ】本明細書に記載の原理と一致する１つの実施形態による、一例における静的マルチビューディスプレイの一部の断面図を示す。
【図３Ｃ】本明細書に記載の原理と一致する１つの実施形態による、一例における静的マルチビューディスプレイの斜視図を示す。
【図４】本明細書に記載の原理と一致する１つの実施形態による、一例における静的マルチビューディスプレイの平面図を示す。
【図５Ａ】本明細書に記載の原理と一致する１つの実施形態による、一例におけるスプリアス反射緩和（spurious reflection mitigation）を含む静的マルチビューディスプレイの平面図を示す。
【図５Ｂ】本明細書に記載の原理と一致する別の実施形態による、一例におけるスプリアス反射緩和を含む静的マルチビューディスプレイの平面図を示す。
【図６Ａ】本明細書に記載の原理と一致する１つの実施形態による、一例におけるマルチビューディスプレイの平面図を示す。
【図６Ｂ】本明細書に記載の原理と一致する１つの実施形態による、別の例における図６Ａの静的マルチビューディスプレイの平面図を示す。
【図７Ａ】本明細書に記載の原理と一致する１つの実施形態による、一例におけるマルチビューディスプレイの回折格子の平面図を示す。
【図７Ｂ】本明細書に記載の原理と一致する別の実施形態による、一例におけるマルチビューピクセルとして組織化された一組の回折格子の平面図を示す。
【図８】本明細書に記載の原理と一致する１つの実施形態による、一例における静的マルチビューディスプレイのブロック図を示す。
【図９】本明細書に記載の原理と一致する１つの実施形態による、一例における静的マルチビューディスプレイの動作の方法のフローチャートを示す。
【発明を実施するための形態】
【０００６】
特定の例及び実施形態は、上述の図に示した特徴の追加又は代替のうちの１つである他の特徴を有する。これら及び他の特徴は、上述の図を参照して以下で詳述される。
【０００７】
本明細書に記載の原理による例及び実施形態は、静的若しくは準静的三次元（３Ｄ）又はマルチビュー画像の表示を実現する。特に、記載の原理と一致する実施形態は、複数の指向性光ビームを使用して、静的又は準静的マルチビュー画像を表示する。複数の指向性光ビームのうちの指向性光ビームの個々の強度及び方向は、表示されているマルチビュー画像のビュー内の様々なビューピクセルに対応する。様々な実施形態によれば、指向性光ビームの個々の強度、及び、いくつかの実施形態において、指向性光ビームの個々の方向は、予め定められ、又は「固定され」る。 したがって、表示されたマルチビュー画像は、静的又は準静的マルチビュー画像と呼ばれることもある。
【０００８】
様々な実施形態によれば、静的又は準静的マルチビュー画像を表示するように構成された静的マルチビューディスプレイは、個々の指向性光ビームの強度及び方向を有する指向性光ビームを生成するために、ライトガイドに光学的に接続された回折格子を備える。回折格子は、導波された光を回折結合して、又は回折散乱させてライトガイド内から外に出すことにより指向性光ビームを放射又は生成するように構成されており、光は、複数の導波光ビームとして導波される。さらに、複数の導波光ビームのうちの導波光ビームは、ライトガイド内で互いに異なる半径方向に導波される。したがって、複数の回折格子のうちの１つの回折格子は、回折格子に入射する導波光ビームの特定の半径方向の関数を説明する、又はその関数である格子の特徴（grating characteristic）を含む。特に、格子の特徴は、回折格子と、導波光ビームを生成するように構成された光源との相対位置の関数であってもよい。様々な実施形態によれば、格子の特徴は、回折格子により生成される放射された指向性光ビームと、表示されている静的又は準静的マルチビュー画像の様々なビュー内の関連するビューピクセルとの対応を確実にする導波光ビームの半径方向を説明するように構成されている。
【０００９】
本明細書において、「マルチビューディスプレイ」は、マルチビュー画像の異なるビューを異なるビュー方向に生成するように構成された電子ディスプレイ又はディスプレイシステムと定義される。「静的マルチビューディスプレイ」は、複数の異なるビューとしてではあるが、予め定められた、又は固定された（すなわち、静的）マルチビュー画像を表示するように構成されたマルチビューディスプレイと定義される。「準静的マルチビューディスプレイ」は、本明細書において、異なる固定されたマルチビュー画像間又は複数のマルチビュー画像状態間で、典型的には時間に応じて切り替えることができる静的マルチビューディスプレイと定義される。異なる固定されたマルチビュー画像間又はマルチビュー画像状態間の切替えは、例えば、動画化の基本的な形態を実現することができる。さらに、本明細書において定義される通り、準静的マルチビューディスプレイは、静的マルチビューディスプレイの一種である。したがって、純粋に静的なマルチビューディスプレイ又は画像と、準静的マルチビューディスプレイ又は画像との間の区別が、適切な理解のために必要でない限り、そのような区別はない。
【００１０】
図１Ａは、本明細書に記載の原理と一致する１つの実施形態による、一例におけるマルチビューディスプレイ１０の斜視図を示す。図１Ａに示す通り、マルチビューディスプレイ１０は、マルチビュー画像１６内又はマルチビュー画像１６のビュー１４（又は等価的には、マルチビューディスプレイ１０のビュー１４）内にビューピクセルを表示するように構成されたスクリーン１２上に回折格子を備える。スクリーン１２は、例えば、自動車、電話（例えば、携帯電話、スマートフォンなど）、タブレットコンピュータ、ラップトップコンピュータ、デスクトップコンピュータのコンピュータモニタ、カメラディスプレイ、又は実質的に任意のその他のデバイスの電子ディスプレイのディスプレイスクリーンであってもよい。
【００１１】
マルチビューディスプレイ１０は、マルチビュー画像１６の異なるビュー１４を、スクリーン１２に対して異なるビュー方向１８に（すなわち、異なる主角度方向に）生成する。ビュー方向１８は、スクリーン１２から様々な異なる主角度方向に延びる矢印として示されている。異なるビュー１４は、（すなわち、ビュー方向１８を示す）矢印の終端にある塗りつぶした多角形の枠として示されている。したがって、（例えば、図１Ａに示す）マルチビューディスプレイ１０をｙ軸を中心に回転させたとき、見る人には異なるビュー１４が見える。一方、（示した通り）図１Ａ中のマルチビューディスプレイ１０をｘ軸を中心に回転させたとき、見られる画像は、（示した通り）見る人の眼に光が届かなくなるまで変化しない。
【００１２】
異なるビュー１４は、スクリーン１２の上方にあるように示されているが、ビュー１４は、実際には、マルチビュー画像１６がマルチビューディスプレイ１０上に表示されて見る人によって見られるとき、スクリーン１２上又はスクリーン１２の近くに現れることに留意されたい。図１Ａにあるようにスクリーン１２の上方にマルチビュー画像１６のビュー１４を示しているのは、単に図を簡単にするためであり、特定のビュー１４に対応するビュー方向１８のうちのそれぞれ１つからマルチビューディスプレイ１０を見ることを表すためである。さらに、図１Ａにおいて、わずか３つのビュー１４及び３つのビュー方向１８がすべて限定ではなく例として示されている。
【００１３】
ビュー方向、又は等価的にはマルチビューディスプレイのビュー方向に対応する方向を有する光ビームは一般に、本明細書における定義上、角度成分｛θ，φ｝で記述される主角度方向を有する。角度成分θは、本明細書において、光ビームの「仰角成分」又は「仰角」と呼ばれる。角度成分φは、光ビームの「方位角成分」又は「方位角」と呼ばれる。定義上、仰角θは、垂直面（例えば、マルチビューディスプレイスクリーンの平面に対して垂直）内の角度であり、方位角φは、水平面（例えば、マルチビューディスプレイスクリーン平面に対して平行）内の角度である。
【００１４】
図１Ｂは、本明細書に記載の原理と一致する１つの実施形態による、一例におけるマルチビューディスプレイのビュー方向（例えば、図１Ａ中のビュー方向１８）に対応する特定の主角度方向を有する光ビーム２０の角度成分｛θ，φ｝の図的表現を示す。さらに、光ビーム２０は、本明細書における定義上、特定の点から放射され、又は出る。すなわち、定義上、光ビーム２０は、マルチビューディスプレイ内の特定の原点に関連する中心光線を有する。図１Ｂはまた、光ビーム（又はビュー方向）の原点Ｏを示す。
【００１５】
さらに本明細書において、「マルチビュー画像」及び「マルチビューディスプレイ」という用語において使用される「マルチビュー」という用語は、異なる見え方（perspectives）を表す、又は複数のビューのうちのビュー間の角度の相違を含む複数のビューと定義される。さらに、本明細書において、「マルチビュー」という用語は明示的に、本明細書における定義上、２つを超える異なるビュー（すなわち、最低３つのビュー、一般に３つを超えるビュー）を含む。したがって、本明細書において使用される「マルチビューディスプレイ」は、シーン又は画像を表すために２つのみの異なるビューを含む立体表示とは明確に区別される。しかし、マルチビュー画像及びマルチビューディスプレイは、本明細書における定義上、２つを超えるビューを含んでもよいが、マルチビュー画像は、一度に見る（例えば、片眼で１つのビュー）ためにマルチビューのうちの２つのみを選択することにより、（例えば、マルチビューディスプレイ上で）立体対画像（stereoscopic pair of images）として見ることができることに留意されたい。
【００１６】
マルチビューディスプレイ内で、「マルチビューピクセル」は、本明細書において、マルチビューディスプレイの同様の複数の異なるビューのそれぞれにおいてピクセル（画素）を表す一組又は複数のビューピクセルと定義される。同じように、マルチビューピクセルは、マルチビューディスプレイにより表示されるマルチビュー画像の異なるビューのそれぞれにおいてピクセルに対応する、又はピクセルを表す個々のビューピクセルを有してもよい。さらに、マルチビューピクセルのビューピクセルは、ビューピクセルのそれぞれが、本明細書における定義上、異なるビューのうちの対応する１つの予め定められたビュー方向に関連するので、いわゆる「指向性ピクセル」である。さらに、様々な例及び実施形態によれば、マルチビューピクセルのビューピクセルにより表される異なるビューピクセルは、異なるビューのそれぞれにおいて同等の位置若しくは少なくとも実質的にほぼ同じ位置又は座標を有してもよい。例えば、第１のマルチビューピクセルは、マルチビュー画像の異なるビューのそれぞれにおいて｛ｘ１，ｙ１｝に位置するビューピクセルに対応する個々のビューピクセルを有してもよく、第２のマルチビューピクセルは、異なるビューのそれぞれにおいて｛ｘ２，ｙ２｝に位置するビューピクセルに対応する個々のビューピクセルを有してもよく、以下同様である。
【００１７】
いくつかの実施形態において、マルチビューピクセル内のいくつかのビューピクセルが、マルチビューディスプレイのいくつかのビューに等しくてもよい。例えば、マルチビューピクセルは、８個の異なるビューを有するマルチビューディスプレイに関連する８個のビューピクセルを形成することができる。あるいは、マルチビューピクセルは、６４個の異なるビューを有するマルチビューディスプレイに関連する６４個のビューピクセルを形成することができる。別の例において、マルチビューディスプレイは、８×４アレイのビュー（すなわち、３２個のビュー）を生成することができて、マルチビューピクセルは、３２個のビューピクセル（すなわち、各ビューに対して１個）を含んでもよい。さらに、いくつかの実施形態によれば、マルチビューディスプレイのいくつかのマルチビューピクセルが、マルチビューディスプレイの選択されたビューを構成するいくつかのピクセルに実質的に等しくてもよい。
【００１８】
本明細書において、「ライトガイド」は、内部全反射を利用して構造体内で光を導波する構造体と定義される。特に、ライトガイドは、ライトガイドの動作波長において実質的に透明であるコアを含んでもよい。様々な例において、「ライトガイド」という用語は一般に、ライトガイドの誘電体材料と、そのライトガイドを取り囲む材料又は媒体との間の境界面において光を導波するために内部全反射を利用する誘電体光導波路を指す。定義上、内部全反射の条件は、ライトガイドの屈折率が、ライトガイド材料の表面に隣接する周囲の媒体の屈折率より大きいことである。いくつかの実施形態において、ライトガイドは、内部全反射をさらに容易にするために、上述の屈折率差に加えて、又はその代わりにコーティングを含んでもよい。コーティングは、例えば、反射コーティングであってもよい。ライトガイドは、これらに限定されないが、平板ガイド又はスラブガイド及びストリップガイドのうちの１つ又は両方を含むいくつかのライトガイドのいずれかであってもよい。
【００１９】
さらに本明細書において、「平板」という用語は、「平板ライトガイド」にあるようにライトガイドに適用されたとき、区分的に（piece-wise）又は個別的に（differentially）平面状の層又はシートと定義され、これは、「スラブ」ガイドと呼ばれることもある。特に、平板ライトガイドは、ライトガイドの上面と下面と（すなわち、対向する表面）により境界を画された２つの実質的に直交する方向に光を導波するように構成されたライトガイドと定義される。さらに、本明細書における定義上、上面及び下面は、いずれも互いに分離され、少なくとも個別的な意味で互いに実質的に平行であってもよい。すなわち、平板ライトガイドの任意の個別的に（differentially）小さな区画内で、上面及び下面は、実質的に平行であるか、又は同一平面にある。
【００２０】
いくつかの実施形態において、平板ライトガイドは、実質的に平坦であってもよく（すなわち、平面に限定されてもよく）、したがって、平板ライトガイドは平面状のライトガイドである。他の実施形態において、平板ライトガイドは、１つ又は２つの直交する次元において曲線状であってもよい。例えば、平板ライトガイドは、円筒形の平板ライトガイドを形成するために、１つの次元において曲線状であってもよい。しかし、光を導波するために内部全反射が平板ライトガイド内に保たれるように、いかなる湾曲も十分に大きい曲率半径を有する。
【００２１】
本明細書において、「回折格子」は一般に、回折格子に入射する光の回折を実現するように配置された複数のフィーチャ（すなわち、回折フィーチャ）と定義される。いくつかの例では、複数のフィーチャが、フィーチャの対間の１つ又はそれ以上の格子間隔を有して周期的又は準周期的に配置されてもよい。例えば、回折格子は、一次元（１Ｄ）アレイ内に配置された複数のフィーチャ（例えば、材料表面内の複数の溝又は隆起部）を含んでもよい。他の例では、回折格子は、フィーチャの二次元（２Ｄ）アレイであってもよい。回折格子は、例えば、材料表面上の突起又は材料表面内の穴の２Ｄアレイであってもよい。様々な実施形態及び例によれば、回折格子は、回折格子により回折される光のおよその波長より短い格子間隔又は隣接する回折フィーチャ間の距離を有するサブ波長格子であってもよい。
【００２２】
したがって、且つ本明細書における定義上、「回折格子」は、回折格子に入射する光の回折を実現する構造体である。光がライトガイドから回折格子に入射すると、回折格子は、回折により光を結合してライトガイドの外に出すことができるので、実現される回折又は回折散乱は、「回折結合」を起こすことができ、したがって、そのように呼ばれる。回折格子はまた、回折により（すなわち、回折角で）光の角度をリダイレクトし、又は変化させる。特に、回折の結果、回折格子を出る光は一般に、回折格子に入射する光（すなわち、入射光）の伝搬方向とは異なる伝搬方向を有する。回折による光の伝搬方向の変化は、本明細書において「回折リダイレクション（diffractive redirection）」と呼ばれる。
したがって、回折格子は、回折格子に入射する光を回折によりリダイレクトする回折フィーチャを含む構造体であると理解することができて、光がライトガイドから入射すると、回折格子はまた、光を回折結合してライトガイドから外に出すことができる。
【００２３】
さらに、本明細書における定義上、回折格子のフィーチャは、「回折フィーチャ」と呼ばれ、材料表面（すなわち、２つの材料間の境界）、材料表面内及び材料表面上のうちの１つ又はそれ以上に存在してもよい。この表面は、例えば、ライトガイドの表面であってもよい。回折フィーチャは、これらに限定されないが、表面、表面内又は表面上の溝、隆起部、穴及び突起のうちの１つ又はそれ以上を含む、光を回折する様々な構造体のいずれかを含んでもよい。例えば、回折格子は、材料表面内に複数の実質的に平行な溝を含んでもよい。別の例において、回折格子は、材料表面から立ち上がっている複数の平行な隆起部を含んでもよい。回折フィーチャ（例えば、溝、隆起部、穴、突起など）は、これらに限定されないが、正弦曲線の輪郭、長方形の輪郭（例えば、バイナリ回折格子）、三角形の輪郭及び鋸歯状の輪郭（例えば、ブレーズド格子）のうちの１つ又はそれ以上を含む、回折を実現する様々な断面形状又は輪郭のいずれかを有してもよい。
【００２４】
以下でさらに説明するように、本明細書における回折格子は、フィーチャ間隔又はピッチ、方向及びサイズ（例えば、回折格子の幅又は長さ）のうちの１つ又はそれ以上を含む格子の特徴を有してもよい。さらに、格子の特徴は、回折格子に対する光ビームの入射角、光源からの回折格子の距離、若しくはその両方の関数が選択されても、又は選ばれてもよい。特に、回折格子の格子の特徴は、いくつかの実施形態によれば、光源と、回折格子の位置との相対位置に依存するよう選ぶことができる。回折格子の格子の特徴を適切に変化させることにより、回折格子により回折された（例えば、回折結合されてライトガイドの外に出た）光ビーム（すなわち、「指向性光ビーム」）の強度及び主角度方向の両方は、マルチビュー画像のビューピクセルの強度及びビュー方向に対応する。
【００２５】
本明細書に記載の様々な例によれば、回折格子（例えば、以下で説明するマルチビューピクセルの回折格子）が、光を回折散乱させ、又は回折結合して光ビームとしてライトガイド（例えば、平板ライトガイド）の外に出すために使用されてもよい。特に、局所的に周期的な回折格子の回折角θｍ又は局所的に周期的な回折格子により得られる回折角θｍは、以下の式（１）で記述することができる：
【数１】
2020507798.tif 000003
（１）
（式中、λは光の波長であり、ｍは回折次数であり、ｎはライトガイドの屈折率であり、ｄは、回折格子のフィーチャ間の距離又は間隔であり、θｉは、回折格子に対する光の入射角である。）簡単のため、式（１）では、回折格子がライトガイドの表面に隣接していること、及びライトガイドの外側の材料の屈折率が１に等しい（すなわち、ｎｏｕｔ＝１）ことを仮定する。一般に、回折次数ｍは整数で与えられる。回折格子により生成された光ビームの回折角θｍは、回折次数が正（例えば、ｍ＞０）である式（１）で記述することができる。例えば、一次回折は、回折次数ｍが１に等しい（すなわち、ｍ＝１）ときに得られる。
【００２６】
図２は、本明細書に記載の原理と一致する１つの実施形態による、一例における回折格子３０の断面図を示す。例えば、回折格子３０は、ライトガイド４０の表面上に位置していてもよい。さらに、図２は、回折格子３０に入射角θｉで入射する光ビーム（又は光ビームの集合）５０を示す。光ビーム５０は、ライトガイド４０内の導波光ビームである。同じく図２に示したのは、入射光ビーム２０の回折の結果、回折格子３０により回折により生成され、結合されて外に出た、結合されて外に出た光ビーム（又は光ビームの集合）６０である。結合されて外に出た光ビーム６０は、式（１）で記述される回折角θｍ（又は本明細書における「主角度方向」）を有する。結合されて外に出た光ビーム６０は、例えば、回折格子３０の回折次数「ｍ」に対応してもよい。
【００２７】
様々な実施形態によれば、様々な光ビームの主角度方向は、これらに限定されないが、回折格子のサイズ（例えば、長さ、幅、面積など）、方向及びフィーチャ間隔のうちの１つ又はそれ以上を含む格子の特徴により決まる。さらに、回折格子により生成された光ビームは、本明細書における定義上、角度成分｛θ，φ｝で記述される図１Ｂに関して上述の主角度方向を有する。
【００２８】
本明細書において、「コリメート光」又は「コリメート光ビーム」は一般に、光ビームの光線が光ビーム内で互いに実質的に平行である光のビーム（例えば、ライトガイド内の導波光ビーム）と定義される。さらに、コリメート光ビームから発散又は散乱する光線は、本明細書における定義上、コリメート光ビームの一部と見なされない。さらに、本明細書において、「コリメータ」は、光をコリメートするように構成されている実質的に任意の光デバイス又は装置と定義される。
【００２９】
本明細書において、「コリメーション係数（collimation factor）」は、光がコリメートされる程度と定義される。特に、コリメーション係数は、本明細書における定義上、光のコリメートビーム内の光線の角度広がり（angular spread）を定義する。例えば、コリメーション係数σにより、コリメート光のビーム中の光線の大部分が、特定の角度広がり内（例えば、コリメート光ビームの中心又は主角度方向を中心に±σ度）であることが規定される。いくつかの例によれば、コリメート光ビームの光線は、角度に関してガウス分布を有することができて、角度広がりは、コリメート光ビームのピーク強度の半分で決定される角度であり得る。
【００３０】
本明細書において、「光源」は、光の源（例えば、光を生成及び放射するように構成された光エミッタ）と定義される。例えば、光源は、作動させると、又は電源を入れると光を放射する光エミッタ、例えば、発光ダイオード（ＬＥＤ）を含んでもよい。特に、本明細書において、光源は、これらに限定されないが、発光ダイオード（ＬＥＤ）、レーザ、有機発光ダイオード（ＯＬＥＤ）、ポリマー発光ダイオード、プラズマベースの光エミッタ、蛍光ランプ、白熱ランプ、及び実質的に任意のその他の光源のうちの１つ又はそれ以上を含む実質的に任意の光源であってもよく、又はそれらを含む実質的に任意の光エミッタを含んでもよい。光源により生成された光は、ある色を有してもよく（すなわち、光の特定の波長を含んでもよく）、又は、ある範囲の波長（例えば、白色光）であってもよい。いくつかの実施形態において、光源は、複数の光エミッタを含んでもよい。例えば、光源は、光エミッタのある組又は群を含んでもよく、光エミッタのうちの少なくとも１つは、この組又は群の少なくとも１つの他の光エミッタにより生成された光の色又は波長とは異なる色又は波長を有する光を生成する。異なる色は、例えば、原色（例えば、赤色、緑色、青色）を含んでもよい。
【００３１】
さらに、本明細書において使用されるとき、冠詞「ａ」は、特許技術におけるその通常の意味、すなわち、「１つ又はそれ以上」の意味を有することが意図される。例えば、本明細書において、「回折格子（a diffraction grating）」は、１つ又はそれ以上の回折格子を意味し、したがって、「回折格子（the diffraction grating）」は、「（１つ又はそれ以上の）回折格子（the diffraction grating(s)）」を意味する。また、「上（top）」、「下（bottom）」、「上側（upper）」、「下側（lower）」、「上向き（up）」、「下向き（down）」、「前（front）」、「後（back）」、「第１の」、「第２の」、「左」又は「右」への本明細書におけるどのような言及も、本明細書では限定を意図するものではない。本明細書において、「約」という用語は、値に適用されたとき、一般に、値を生成するために使用された機器の許容範囲内を意味し、又は、特に明示的に指定されていない限り、±１０％若しくは±５％若しくは±１％を意味し得る。さらに、本明細書において使用される「実質的に」という用語は、大部分、又はほぼすべて、又はすべて、又は約５１％〜約１００％の範囲内の量を意味する。さらに、本明細書における例は、単なる例示であることが意図され、限定するためではなく議論のために提示されている。
【００３２】
本明細書に記載の原理のいくつかの実施形態によれば、マルチビュー画像、とりわけ静的マルチビュー画像（すなわち、静的マルチビューディスプレイ）を生成するように構成されたマルチビューディスプレイが提供される。図３Ａは、本明細書に記載の原理と一致する１つの実施形態による、一例における静的マルチビューディスプレイ１００の平面図を示す。図３Ｂは、本明細書に記載の原理と一致する１つの実施形態による、一例における静的マルチビューディスプレイ１００の一部の断面図を示す。特に、図３Ｂは、図３Ａの静的マルチビューディスプレイ１００の一部を通る断面を示し、断面はｘ−ｚ平面内にある。図３Ｃは、本明細書に記載の原理と一致する１つの実施形態による、一例における静的マルチビューディスプレイ１００の斜視図を示す。いくつかの実施形態によれば、示した静的マルチビューディスプレイ１００は、純粋に静的なマルチビュー画像を生成するように構成されている一方、静的マルチビューディスプレイ１００は、複数のマルチビュー画像を生成するように構成されてもよく、したがって、準静的マルチビューディスプレイ１００として機能する（又は準静的マルチビューディスプレイ１００である）。例えば、静的マルチビューディスプレイ１００は、以下で説明するように、異なる固定されたマルチビュー画像間で、又は等価的には複数のマルチビュー画像状態間で切り替え可能であってもよい。
【００３３】
図３Ａ〜図３Ｃに示した静的マルチビューディスプレイ１００は、複数の指向性光ビーム１０２を生成するように構成されており、複数の指向性光ビーム１０２の各指向性光ビーム１０２は、強度及び主角度方向を有する。同時に、複数の指向性光ビーム１０２は、静的マルチビューディスプレイ１００が生成又は表示するように構成されているマルチビュー画像のビューの一組の様々なビューピクセルを表す。いくつかの実施形態において、ビューピクセルは、マルチビュー画像の様々な異なるビューを表すために、マルチビューピクセルに組織化されていてもよい。
【００３４】
示した通り、静的マルチビューディスプレイ１００はライトガイド１１０を備える。ライトガイドは、例えば、（示した）平板ライトガイドであってもよい。ライトガイド１１０は、導波光として、又はとりわけ導波光ビーム１１２としてライトガイド１１０の長さに沿って光を導波するように構成されている。例えば、ライトガイド１１０は、光導波路として構成された誘電体材料を含んでもよい。誘電体材料は、誘電体光導波路を取り囲む媒体の第２の屈折率より大きい第１の屈折率を有してもよい。例えば、屈折率の差は、ライトガイド１１０の１つ又はそれ以上の導波モードによる導波光ビーム１１２の内部全反射を容易にするように構成されている。
【００３５】
いくつかの実施形態において、ライトガイド１１０は、光学的に透明な誘電体材料の長い実質的に平面状のシートを含むスラブ又は平板光導波路であってもよい。誘電体材料の実質的に平面状のシートは、内部全反射を利用して導波光ビーム１１２を導波するように構成されている。様々な例によれば、ライトガイド１１０の光学的に透明な材料は、これらに限定されないが、様々なタイプのガラス（例えば、シリカガラス、アルカリアルミノケイ酸ガラス、ホウケイ酸ガラスなど）及び実質的に透明なプラスチック若しくはポリマー（例えば、ポリ（メチルメタクリレート）又は「アクリルガラス」、ポリカーボネートなど）のうちの１つ若しくはそれ以上を含む様々な誘電体材料のいずれかを含んでもよく、又はそれらで構成されてもよい。いくつかの例では、ライトガイド１１０は、ライトガイド１１０の表面（例えば、上面及び下面のうちの１つ又は両方）の少なくとも一部の上にクラッド層（図示せず）をさらに含んでもよい。いくつかの例によれば、クラッド層が、内部全反射をさらに容易にするために使用されてもよい。
【００３６】
様々な実施形態によれば、ライトガイド１１０は、ライトガイド１１０の第１の表面１１０’（例えば、「前」面）と第２の表面１１０’’（例えば、「後」又は「下」面）との間の非ゼロ伝搬角の内部全反射により導波光ビーム１１２を導波するように構成されている。特に、導波光ビーム１１２は、ライトガイド１１０の第１の表面１１０’と第２の表面１１０’’との間で非ゼロ伝搬角で反射する、又は「跳ね返る」ことにより伝搬する。非ゼロ伝搬角は、図を簡単にするため、図３Ｂに明示的に示していないことに留意されたい。しかし、図３Ｂには、ライトガイドの長さに沿った導波光ビーム１１２の一般的な伝搬方向１０３を示す、図の平面内を指す矢印を示している。
【００３７】
本明細書において定義される通り、「非ゼロ伝搬角」は、ライトガイド１１０の表面（例えば、第１の表面１１０’又は第２の表面１１０’’）に対する角度である。さらに、非ゼロ伝搬角は、様々な実施形態によれば、ゼロより大きく、且つライトガイド１１０内の内部全反射の臨界角より小さい。例えば、導波光ビーム１１２の非ゼロ伝搬角は、約１０度〜約５０度の間、又は、いくつかの例では、約２０度〜約４０度の間若しくは約２５度〜約３５度の間であってもよい。例えば、非ゼロ伝搬角は約３０度であってもよい。他の例では、非ゼロ伝搬角は、約２０度又は約２５度又は約３５度であってもよい。さらに、ある特定の非ゼロ伝搬角は、その特定の非ゼロ伝搬角がライトガイド１１０内の内部全反射の臨界角より小さくなるよう選ばれる限り、特定の実施に対して（例えば、任意に）選ぶことができる。
【００３８】
図３Ａ及び図３Ｃに示す通り、静的マルチビューディスプレイ１００は、光源１２０をさらに備える。光源１２０は、ライトガイド１１０上の入力位置１１６に位置している。例えば、光源１２０は、示す通り、ライトガイド１１０の縁部又は側面１１４に隣接して位置していてもよい。光源１２０は、ライトガイド１１０内に複数の導波光ビーム１１２として光を生成するように構成されている。さらに、光源１２０は、複数の導波光ビームの個々の導波光ビーム１１２が互いに異なる半径方向１１８を有するように光を生成する。
【００３９】
特に、光源１２０により放射された光は、ライトガイド１１０に入り、ライトガイド１１０の長さにわたって、又は沿って入力位置１１６から離れた放射状のパターンで複数の導波光ビーム１１２として伝搬するように構成されている。さらに、複数の導波光ビームの個々の導波光ビーム１１２は、入力位置１１６から離れた伝搬の放射状のパターンにより、互いに異なる半径方向を有する。例えば、光源１２０は、側面１１４に突合せ結合されていてもよい。突合せ結合されている光源１２０は、例えば、個々の導波光ビーム１１２の異なる半径方向を実現する扇形のパターンでの光の導入を容易にすることができる。いくつかの実施形態によれば、光源１２０は、導波光ビーム１１２が異なる半径方向１１８に沿って（すなわち、複数の導波光ビーム１１２として）伝搬するように、入力位置１１６にある「点」光源であってもよく、又は少なくともおおよそ「点」光源であってもよい。
【００４０】
いくつかの実施形態において、光源１２０の入力位置１１６は、側面１１４の中央若しくは中間に近い、又はそのあたりの、ライトガイド１１０の側面１１４上にある。特に、図３Ａ及び図３Ｃにおいて、光源１２０は、ライトガイド１１０の側面１１４（すなわち、「入力側面」）上のおおよそ中央（例えば、側面１１４の中間）にある入力位置１１６に示されている。あるいは（図示せず）、入力位置１１６は、ライトガイド１１０の側面１１４の中間から離れていてもよい。例えば、入力位置１１６は、ライトガイド１１０の角にあってもよい。例えば、ライトガイド１１０は、（例えば、示した）長方形を有してもよく、光源１２０の入力位置１１６は、長方形のライトガイド１１０の角（例えば、入力側面１１４の角）にあってもよい。
【００４１】
様々な実施形態において、光源１２０は、これらに限定されないが、１つ又はそれ以上の発光ダイオード（ＬＥＤ）又はレーザ（例えば、レーザダイオード）を含む実質的に任意の光源（例えば、光エミッタ）を含んでもよい。いくつかの実施形態において、光源１２０は、特定の色で示される狭帯域スペクトルを有する実質的に単色の光を生成するように構成された光エミッタを含んでもよい。特に、単色光の色は、特定の色空間又は色モデル（例えば、ＲＧＢ色モデル）の原色であってもよい。他の例では、光源１２０は、実質的に広帯域又は多色の光を生成するように構成された実質的に広帯域の光源であってもよい。例えば、光源１２０は、白色光を生成することができる。いくつかの実施形態において、光源１２０は、光の異なる色を生成するように構成された複数の異なる光エミッタを含んでもよい。異なる光エミッタは、光の異なる色のそれぞれに対応する導波光の色固有の異なる非ゼロ伝搬角を有する光を生成するように構成されてもよい。
【００４２】
いくつかの実施形態において、光源１２０からの光をライトガイド１１０内に結合することにより生成された導波光ビーム１１２は、コリメートされていなくても、又は少なくとも実質的にコリメートされていなくてもよい。他の実施形態において、導波光ビーム１１２がコリメートされてもよい（すなわち、導波光ビーム１１２が、コリメートされた光ビームであってもよい）。したがって、いくつかの実施形態において、静的マルチビューディスプレイ１００は、光源１２０とライトガイド１１０との間にコリメータ（図示せず）を備えてもよい。あるいは、光源１２０は、コリメータをさらに備えてもよい。コリメータは、コリメートされている導波光ビーム１１２をライトガイド１１０内に生成するように構成されている。特に、コリメータは、光源１２０の光エミッタのうちの１つ又はそれ以上から実質的にコリメートされていない光を受け、実質的にコリメートされていない光をコリメート光に変換するように構成されている。いくつかの例では、コリメータが、導波光ビーム１１２の伝搬方向に対して実質的に垂直である平面（例えば、「垂直」面）内でコリメーションを実現するように構成されてもよい。すなわち、コリメーションは、例えば、ライトガイド１１０の表面（例えば、第１又は第２の表面１１０’、１１０’’）に対して垂直な平面内に比較的狭い角度広がりを有するコリメートされた導波光ビーム１１２を生成することができる。様々な実施形態によれば、コリメータは、これらに限定されないが、例えば、光源１２０からの光をコリメートするように構成されたレンズ、反射体若しくはミラー（例えば、チルトコリメーティング反射体）又は回折格子（例えば、回折格子ベースのバレルコリメータ（barrel collimator））を含む様々なコリメータのいずれかを含んでもよい。
【００４３】
さらに、いくつかの実施形態において、コリメータは、非ゼロ伝搬角を有するか、若しくは予め定められたコリメーション係数にしたがってコリメートされているか、又はその両方のコリメート光を生成することができる。さらに、異なる色の光エミッタが使用されるとき、コリメータは、色固有の異なる非ゼロ伝搬角のうちの１つ又は両方を有し、且つ色固有の異なるコリメーション係数を有するコリメート光を生成するように構成されてもよい。コリメータはさらに、いくつかの実施形態において、導波光ビーム１１２として伝搬するために、コリメート光をライトガイド１１０に通信するように構成されている。
【００４４】
コリメートされた光又はコリメートされていない光の使用は、いくつかの実施形態において、静的マルチビューディスプレイ１００により生成することができるマルチビュー画像に影響を与える可能性がある。例えば、導波光ビーム１１２がライトガイド１１０内でコリメートされると、放射された指向性光ビーム１０２は、少なくとも２つの直交する方向に、比較的狭い、又は限定された角度広がりを有することができる。したがって、静的マルチビューディスプレイ１００は、２つの異なる方向（例えば、ｘ方向及びｙ方向）を有するアレイ内に複数の異なるビューを有するマルチビュー画像を生成することができる。しかし、導波光ビーム１１２が実質的にコリメートされていない場合、マルチビュー画像は、ビューの視差を実現することができるが、異なるビューの完全な二次元アレイを実現することはできない。特に、導波光ビーム１１２が（例えば、ｚ軸に沿って）コリメートされていない場合、マルチビュー画像は、（例えば、図１Ａに示す）ｙ軸を中心に回転させたとき、「視差３Ｄ」を示す異なるマルチビュー画像を生成することができる。一方、例えば、静的マルチビューディスプレイ１００をｘ軸中心に回転させた場合、マルチビュー画像及びそのビューは、実質的に変化しなくても、又は同じでもよく、その理由は、複数の指向性光ビームのうちの指向性光ビーム１０２がｙ−ｚ平面内に広い角度範囲を有するからである。したがって、生成されたマルチビュー画像は、２つの方向ではなく、ただ１つの方向にビューのアレイを実現する「視差のみ」であってもよい。
【００４５】
図３Ａ〜図３Ｃに示した静的マルチビューディスプレイ１００は、複数の指向性光ビームのうちの指向性光ビーム１０２を放射するように構成された複数の回折格子１３０をさらに備える。前述の通り、様々な実施形態によれば、複数の回折格子１３０により放射された指向性光ビーム１０２は、マルチビュー画像を表してもよい。特に、複数の回折格子１３０により放射された指向性光ビーム１０２は、情報、例えば、３Ｄコンテンツを有する情報を表示するために、マルチビュー画像を生成するように構成されてもよい。さらに、回折格子１３０は、以下でさらに説明する通り、ライトガイド１１０が光源１２０により側面１１４から照らされたとき、指向性光ビーム１０２を放射することができる。
【００４６】
様々な実施形態によれば、複数の回折格子の回折格子１３０は、複数の導波光ビームのうちの１つの導波光ビーム１１２の一部から、複数の指向性光ビームのうちの１つの指向性光ビーム１０２を生成するように構成されている。さらに、回折格子１３０は、マルチビュー画像のビューピクセルの強度及びビュー方向に対応する強度及び主角度方向の両方を有する指向性光ビーム１０２を生成するように構成されている。いくつかの実施形態において、複数の回折格子の回折格子１３０は一般に、いくつかの実施形態によれば、互いに交差したり、重なったり、あるいは接触したりしない。すなわち、複数の回折格子の各回折格子１３０は一般に、様々な実施形態によれば、他の回折格子１３０とは別個であり、分離されている。
【００４７】
図３Ｂに示す通り、指向性光ビーム１０２は、少なくとも部分的に、ライトガイド１１０内の導波光ビーム１１２の平均的又は一般的な伝搬方向１０３とは異なり、いくつかの実施形態においてはそれと直交する方向に伝搬することができる。例えば、図３Ｂに示す通り、回折格子１３０からの指向性光ビーム１０２は、いくつかの実施形態によれば、ｘ−ｚ平面に実質的に限定されてもよい。
【００４８】
様々な実施形態によれば、複数の回折格子のうちの回折格子１３０のそれぞれは、関連する格子の特徴を有する。各回折格子の関連する格子の特徴は、光源１２０から回折格子に入射する導波光ビーム１１２の半径方向１１８の関数に依存し、その関数により定義され、又はその関数である。さらに、いくつかの実施形態において、関連する格子の特徴はさらに、回折格子１３０と、光源１２０の入力位置１１６との間の距離により決定又は定義される。例えば、関連する特徴は、図３Ａに示す通り、回折格子１３０ａと入力位置１１６との間の距離Ｄと、回折格子１３０ａに入射する導波光ビーム１１２の半径方向１１８ａとの関数であってもよい。別様に述べると、複数の回折格子１３０中の回折格子１３０の関連する格子の特徴は、光源の入力位置１１６と、入力位置１１６に対するライトガイド１１０の表面上の回折格子１３０の特定の位置とに依存する。
【００４９】
図３Ａは、異なる空間座標（ｘ１，ｙ１）及び（ｘ２，ｙ２）を有する２つの異なる回折格子１３０ａ及び１３０ｂを示し、これらはさらに、回折格子１３０に入射する光源１２０からの複数の導波光ビーム１１２の異なる半径方向１１８ａ及び１１８ｂを補償又は説明するために、異なる格子の特徴を有する。同様に、２つの異なる回折格子１３０ａ及び１３０ｂの異なる格子の特徴は、異なる空間座標（ｘ１，ｙ１）及び（ｘ２，ｙ２）により決定される光源の入力位置１１６からのそれぞれの回折格子１３０ａ、１３０ｂの異なる距離を説明する。
【００５０】
図３Ｃは、静的マルチビューディスプレイ１００により生成することができる複数の指向性光ビーム１０２の一例を示す。特に、示した通り、互いに異なる主角度方向を有する指向性光ビーム１０２を放射する複数の回折格子のうちの回折格子１３０の異なる組が示されている。異なる主角度方向は、様々な実施形態によれば、静的マルチビューディスプレイ１００の異なるビュー方向に対応してもよい。例えば、回折格子１３０の第１の組は、静的マルチビューディスプレイ１００の第１のビュー方向（又は第１のビュー）に対応する第１の主角度方向を有する指向性光ビーム１０２’の第１の組を生成するために、（破線として示した）入射導波光ビーム１１２の一部を回折結合して外に出すことができる。同様に、静的マルチビューディスプレイ１００の第２のビュー方向（又は第２のビュー）及び第３のビュー方向（又は第３のビュー）それぞれに対応する主角度方向を有する指向性光ビーム１０２’’の第２の組及び指向性光ビーム１０２’’’の第３の組は、示す通り、回折格子１３０のそれぞれの第２、第３の組により入射導波光ビーム１１２の一部を回折結合して外に出すことにより生成することができて、以下同様である。同じく図３Ｃに示したのは、マルチビューディスプレイ１００により生成することができるマルチビュー画像１６の第１のビュー１４’、第２のビュー１４’’及び第３のビュー１４’’’である。示した第１、第２及び第３のビュー１４’、１４’’、１４’’’は、物体の異なる斜視図を表し、集合的に、（例えば、図１Ａに示したマルチビュー画像１６と同等の）表示されたマルチビュー画像１６である。
【００５１】
一般に、回折格子１３０の格子の特徴は、回折フィーチャ間隔又はピッチ、回折格子の格子方向及び格子サイズ（又は程度）のうちの１つ又はそれ以上を含んでもよい。さらに、いくつかの実施形態において、回折格子の結合効率（例えば、回折格子の面積、溝深さ又は隆起部高さなど）は、入力位置１１６から回折格子までの距離の関数であってもよい。例えば、回折格子の結合効率は、部分的に、放射状拡散及び他の損失要因に関連する導波光ビーム１１２の強度の一般的な低下を補正又は補償するために、距離に応じて増加するように構成されてもよい。したがって、対応するビューピクセルの強度に対応する、回折格子１３０により生成された指向性光ビーム１０２の強度は、いくつかの実施形態によれば、部分的に、回折格子１３０の回折結合効率により決定されてもよい。
【００５２】
図４は、本明細書に記載の原理と一致する１つの実施形態による、一例における静的マルチビューディスプレイ１００の平面図を示す。図４において、ライトガイド１１０の側面１１４にある光源１２０の入力位置１１６からの距離Ｄである角度空間内の照射ボリューム（illumination volume）１３４が示されている。照射ボリュームは、ｙ軸からｘ軸に向かって離れて複数の光ビーム１１２の伝搬の半径方向の角度が変化するにつれて、より広い角度サイズを有することに留意されたい。例えば、照射ボリューム１３４ｂは、示す通り、照射ボリューム１３４ａよりも広い。
【００５３】
図３Ｂを再び参照すると、複数の回折格子１３０は、示す通り、ライトガイド１１０の光ビーム放射表面であるライトガイド１１０の第１の表面１１０’に位置していても、又は隣接していてもよい。例えば、回折格子１３０は、導波光部分を回折結合して指向性光ビーム１０２として第１の表面１１０’を通じて外に出すように構成された透過型回折格子であってもよい。あるいは、複数の回折格子１３０は、ライトガイド１１０の光ビーム放射表面（すなわち、第１の表面１１０’）の反対側の第２の表面１１０’’に位置していても、又は隣接していてもよい。特に、回折格子１３０は、反射型回折格子であってもよい。反射型回折格子として、回折散乱された、又は結合されて外に出た指向性光ビーム１０２として第１の表面１１０’を通じて出るために、回折格子１３０は、第１の表面１１０’に向かって導波光部分を回折し、且つ回折された導波光部分を反射するように構成されている。他の実施形態（図示せず）において、回折格子１３０は、例えば、透過型回折格子及び反射型回折格子のうちの１つ又は両方としてライトガイドの表面１１０の間に位置していてもよい。
【００５４】
本明細書に記載のいくつかの実施形態において、指向性光ビーム１０２の主角度方向は、ライトガイド表面でライトガイド１１０を出る指向性光ビーム１０２に起因する屈折効果を含んでもよい。例えば、回折格子１３０が第２の表面１１０’’に位置するか、又は隣接するとき、指向性光ビーム１０２は、限定ではなく例として、指向性光ビーム１０２が第１の表面１１０’を横切るときの屈折率の変化のために屈折する（すなわち、曲がる）ことができる。
【００５５】
いくつかの実施形態において、特にそれらのスプリアス反射源によって意図しない方向に光ビームが放射され、静的マルチビューディスプレイ１００により意図しない画像が生成される可能性があるとき、静的マルチビューディスプレイ１００内の導波光１１２のスプリアス反射の様々な源を緩和し、場合によってはさらに実質的に排除できるようになっている。様々な潜在的なスプリアス反射源の例には、これに限定されないが、導波光１１２の二次反射を引き起こす可能性のあるライトガイド１１０の側壁が含まれる。
静的マルチビューディスプレイ１００内の様々なスプリアス反射源からの反射は、これらに限定されないが、スプリアス反射の吸収及び制御されたリダイレクションを含むいくつかの方法のいずれかにより緩和することができる。
【００５６】
図５Ａは、本明細書に記載の原理と一致する１つの実施形態による、一例におけるスプリアス反射緩和を含む静的マルチビューディスプレイ１００の平面図を示す。図５Ｂは、本明細書に記載の原理と一致する別の実施形態による、一例におけるスプリアス反射緩和を含む静的マルチビューディスプレイ１００の平面図を示す。特に、図５Ａ及び図５Ｂは、ライトガイド１１０、光源１２０及び複数の回折格子１３０を含む静的マルチビューディスプレイ１００を示す。同じく示したのは、複数の導波光ビーム１１２のうちの少なくとも１つの導波光ビーム１１２がライトガイド１１０の側壁１１４ａ、１１４ｂに入射する複数の導波光ビーム１１２である。側壁１１４ａ、１１４ｂによる導波光ビーム１１２の潜在的なスプリアス反射は、反射された導波光ビーム１１２’を表す破線の矢印で示されている。
【００５７】
図５Ａにおいて、静的マルチビューディスプレイ１００は、ライトガイド１１０の側壁１１４ａ、１１４ｂに吸収層１１９をさらに備える。吸収層１１９は、導波光ビーム１１２からの入射光を吸収するように構成されている。吸収層は、これに限定されないが、例えば、側壁１１４ａ、１１４ｂに塗布された黒色塗料を含む実質的に任意の光吸収体を含んでもよい。図５Ａに示す通り、限定ではなく例として、吸収層１１９は側壁１１４ｂが付与されているが、側壁１１４ａには吸収層１１９がない。吸収層１１９は、入射導波光ビーム１１２を遮断及び吸収して、側壁１１４ｂからの潜在的なスプリアス反射の発生を効果的に防止又は緩和する。一方、側壁１１４ａに入射する導波光ビーム１１２は反射して、限定ではなく例として示した反射された導波光ビーム１１２’を発生させる。
【００５８】
図５Ｂは、制御された反射角を使用するスプリアス反射緩和を示す。特に、図５Ｂに示した静的マルチビューディスプレイ１１０のライトガイド１１０は、傾斜した側壁１１４ａ、１１４ｂを備える。傾斜した側壁は、回折格子１３０から実質的に離れた、反射された導波光ビーム１１２’を優先的に導くように構成された傾斜角を有する。したがって、反射された導波光ビーム１１２’は、回折結合されて意図しない指向性光ビームとしてライトガイド１１０の外に出ることはない。側壁１１４ａ、１１４ｂの傾斜角は、示す通り、ｘ−ｙ平面内にあってもよい。他の例（図示せず）において、側壁１１４ａ、１１４ｂの傾斜角は、反射された導波光ビーム１１２’をライトガイド１１０の上面又は下面の外に導くために、別の平面内、例えば、ｘ−ｚ平面内にあってもよい。図５Ｂは、限定ではなく例として、その一部のみに沿った傾斜を含む側壁１１４ａ、１１４ｂを示すことに留意されたい。
【００５９】
いくつかの実施形態によれば、静的マルチビューディスプレイ１００は、互いに横方向にオフセットしている複数の光源１２０を含んでもよい。複数の光源のうちの光源１２０の横方向のオフセットは、個々の回折格子１３０又はその間において様々な導波光ビーム１０２の半径方向の差を与えることができる。この差は、いくつかの実施形態によれば、表示されたマルチビュー画像の動画化の実現を容易にすることができる。したがって、静的マルチビューディスプレイ１００は、いくつかの実施形態において、準静的マルチビューディスプレイ１００であってもよい。
【００６０】
図６Ａは、本明細書に記載の原理と一致する１つの実施形態による、一例における静的マルチビューディスプレイ１００の平面図を示す。図６Ｂは、本明細書に記載の原理と一致する１つの実施形態による、別の例における図６Ａの静的マルチビューディスプレイ１００の平面図を示す。図６Ａ及び図６Ｂに示した静的マルチビューディスプレイ１００は、複数の回折格子１３０を備えるライトガイド１１０を備える。さらに、静的マルチビューディスプレイ１００は、示す通り、互いに横方向にオフセットしており、且つ互いに異なる半径方向１１８を有する導波光ビーム１１２を別々に生成するように構成された複数の光源１２０をさらに備える。
【００６１】
特に、図６Ａ及び図６Ｂは、ライトガイド１１０の側面１１４上の第１の入力位置１１６ａにある第１の光源１２０ａ及び第２の入力位置１１６ｂにある第２の光源１２０ｂを示す。第１及び第２の入力位置１１６ａ、１１６ｂは、それぞれの第１及び第２の光源１２０ａ、１２０ｂの横方向のオフセットを実現するために、側面１１４に沿って（すなわち、ｘ方向に）互いに横方向にオフセット又はシフトしている。
さらに、複数の光源１２０のうちの第１及び第２の光源１２０ａ、１２０ｂのそれぞれは、それぞれの互いに異なる半径方向を有する異なる複数の導波光ビーム１１２を生成する。例えば、それぞれ図６Ａ及び図６Ｂに示す通り、第１の光源１２０ａは、異なる半径方向１１８ａの第１の組を有する第１の複数の導波光ビーム１１２ａを生成することができて、第２の光源１２０ｂは、異なる半径方向１１８ｂの第２の組を有する第２の複数の導波光ビーム１１２ｂを生成することができる。さらに、第１及び第２の複数の導波光ビーム１１２ａ、１１２ｂは一般に、示す通り、第１及び第２の光源１２０ａ、１２０ｂの横方向のオフセットにより、組としてさらに互いに異なる異なる半径方向１１８ａ、１１８ｂの組を有する。
【００６２】
したがって、複数の回折格子１３０は、ビュー空間内で互いにシフトした（例えば、ビュー空間内で角度シフトした）異なるマルチビュー画像を表す指向性光ビームを放射する。したがって、第１及び第２の光源１２０ａ、１２０ｂの間の切替えにより、静的マルチビューディスプレイ１００は、マルチビュー画像の「動画化」、例えば、時系列の動画化を実現することができる。特に、第１及び第２の光源１２０ａ、１２０ｂを異なる順次の時間間隔又は期間の間順次点灯することにより、静的マルチビューディスプレイ１００が、例えば、異なる時間の間マルチビュー画像の見かけの位置をシフトさせるように構成されてもよい。動画化により実現されるこの見かけの位置のシフトは、いくつかの実施形態によれば、複数のマルチビュー画像状態を生成するために、静的マルチビューディスプレイ１００を準静的マルチビューディスプレイ１００として動作させる例を表してもよい。
【００６３】
様々な実施形態によれば、図３Ａ〜図３Ｃに関して上述の通り、静的マルチビューディスプレイ１００の指向性光ビーム１０２は、回折を利用して（例えば、回折散乱又は回折結合により）放射される。いくつかの実施形態において、複数の回折格子１３０は、マルチビューピクセルとして組織化されていてもよく、各マルチビューピクセルは、複数の回折格子からの１つ又はそれ以上の回折格子１３０を含む一組の回折格子１３０を含む。さらに、前述の通り、（１つ又はそれ以上の）回折格子１３０は、ライトガイド１１０上の半径方向の位置の関数であり、並びに（１つ又はそれ以上の）回折格子１３０により放射された指向性光ビーム１０２の強度及び方向の関数である回折の特徴を有する。
【００６４】
図７Ａは、本明細書に記載の原理と一致する１つの実施形態による、一例におけるマルチビューディスプレイの回折格子１３０の平面図を示す。図７Ｂは、本明細書に記載の原理と一致する別の実施形態による、一例におけるマルチビューピクセル１４０として組織化された一組の回折格子１３０の平面図を示す。図７Ａ及び図７Ｂに示す通り、回折格子１３０のそれぞれは、回折フィーチャ間隔（これは、「格子間隔」と呼ばれることもある。）又は格子ピッチにしたがって互いに離れて配置された複数の回折フィーチャを備える。回折フィーチャ間隔又は格子ピッチは、ライトガイド内から導波光部分を回折結合して外に出す、又は散乱させるように構成されている。図７Ａ〜図７Ｂにおいて、回折格子１３０は、マルチビューディスプレイ（例えば、図３Ａ〜図３Ｃに示した静的マルチビューディスプレイ１００）のライトガイド１１０の表面上にある。
【００６５】
様々な実施形態によれば、回折格子１３０内の回折フィーチャの間隔又は格子ピッチはサブ波長（すなわち、導波光ビーム１１２の波長未満）であってもよい。図７Ａ及び図７Ｂは、図を簡単にするため、単一の、又は均一な格子間隔（すなわち、一定の格子ピッチ）を有する回折格子１３０を示すことに留意されたい。様々な実施形態において、以下で説明する通り、回折格子１３０は、例えば、図３Ａ〜図６Ｂに様々に示している通り、指向性光ビーム１０２を生成するために、複数の異なる格子間隔（例えば、２つ又はそれ以上の格子間隔）又は可変の回折フィーチャ間隔若しくは格子ピッチを含んでもよい。したがって、図７Ａ及び図７Ｂは、単一の格子ピッチが、回折格子１３０の排他的な実施形態であることを意味するものではない。
【００６６】
いくつかの実施形態によれば、回折格子１３０の回折フィーチャは、互いに離れて配置されている溝及び隆起部のうちの１つ又は両方を含んでもよい。溝又は隆起部は、ライトガイド１１０の材料を含んでもよく、例えば、溝又は隆起部は、ライトガイド１１０の表面内に形成されてもよい。別の例において、溝又は隆起部は、ライトガイド材料以外の材料、例えば、ライトガイド１１０の表面上の別の材料のフィルム又は層から形成されてもよい。
【００６７】
先述し、図７Ａに示した通り、回折フィーチャの構成は、回折格子１３０の格子の特徴を含む。例えば、回折格子の格子深さは、回折格子１３０により生成される指向性光ビーム１０２の強度を決定するように構成されてもよい。代替的又は追加的に、先述したように、図７Ａ〜図７Ｂに示した、格子の特徴は、回折格子１３０の格子ピッチ及び格子方向（例えば、図７Ａに示した格子方向γ）のうちの１つ又は両方を含む。導波光ビームの入射角と共に、これらの格子の特徴は、回折格子１３０により生成される指向性光ビーム１０２の主角度方向を決定する。
【００６８】
いくつかの実施形態（図示せず）において、指向性光ビームを生成するように構成された回折格子１３０は、可変又はチャープ回折格子を格子の特徴として含む。定義上、「チャープ」回折格子は、チャープ回折格子の範囲又は長さにわたって変化する回折フィーチャの回折間隔（すなわち、格子ピッチ）を示す、又は有する回折格子である。いくつかの実施形態において、チャープ回折格子は、距離に伴って直線的に変化する回折フィーチャ間隔のチャープを有してもよく、又は示してもよい。したがって、チャープ回折格子は、定義上、「線形チャープ」回折格子である。他の実施形態において、マルチビューピクセルのチャープ回折格子は、回折フィーチャ間隔の非線形チャープを示してもよい。これらに限定されないが、指数チャープ、対数チャープ、又は別の実質的に不均一又はランダムであるが、それでも単調に変化するチャープを含む様々な非線形チャープが使用されてもよい。非単調なチャープ、例えば、これらに限定されないが、正弦波チャープ又は三角形若しくは鋸歯状チャープも使用されてもよい。これらのタイプのチャープのいずれかの組合せも使用されてもよい。
【００６９】
他の実施形態において、指向性光ビーム１０２を生成するように構成された回折格子１３０は、複数の回折格子（例えば、サブ格子）であるか、又はそれを含む。例えば、回折格子１３０の複数の回折格子は、指向性光ビーム１０２の赤色部分を生成するように構成された第１の回折格子を含んでもよい。さらに、回折格子１３０の複数の回折格子は、指向性光ビーム１０２の緑色部分を生成するように構成された第２の回折格子を含んでもよい。さらに、回折格子１３０の複数の回折格子は、指向性光ビーム１０２の青色部分を生成するように構成された第３の回折格子を含んでもよい。いくつかの実施形態において、複数の回折格子の個々の回折格子が互いに重ね合わせられてもよい。他の実施形態において、回折格子は、例えば、アレイとして、互いに隣に配置された別々の回折格子であってもよい。
【００７０】
より一般的には、静的マルチビューディスプレイ１００は、マルチビューピクセル１４０の１つ又はそれ以上の例を含んでもよく、そのそれぞれは、複数の回折格子１３０からの回折格子１３０の組を備える。図７Ｂに示す通り、マルチビューピクセル１４０を構成する組の回折格子１３０は、異なる格子の特徴を有してもよい。マルチビューピクセルの回折格子１３０は、例えば、異なる格子方向を有してもよい。特に、マルチビューピクセル１４０の回折格子１３０は、マルチビュー画像のビューの対応する組によって決まる、又は定まる異なる格子の特徴を有してもよい。例えば、マルチビューピクセル１４０は、静的マルチビューディスプレイ１００の８個の異なるビューに対応する８個の回折格子１３０の組を備えてもよい。さらに、静的マルチビューディスプレイ１００は、複数のマルチビューピクセル１４０を備えてもよい。例えば、回折格子１３０の組を備える複数のマルチビューピクセル１４０が存在してもよく、各マルチビューピクセル１４０は、８個の異なるビューのそれぞれにおける２０４８×１０２４ピクセルの異なるビューに対応する。
【００７１】
いくつかの実施形態において、静的マルチビューディスプレイ１００は、透明又は実質的に透明であってもよい。特に、ライトガイド１１０及び離れて配置された複数の回折格子１３０は、いくつかの実施形態において、第１の表面１１０’及び第２の表面１１０’’の両方と直交する方向に光がライトガイド１１０を通過するのを可能にし得る。したがって、ライトガイド１１０、より一般的には静的マルチビューディスプレイ１００は、複数の導波光ビームのうちの導波光ビーム１１２の一般的な伝搬方向１０３と直交する方向に伝搬する光に対して透明であってもよい。さらに、透明性を、回折格子１３０の実質的な透明性により少なくとも部分的に促進することができる。
【００７２】
本明細書に記載の原理のいくつかの実施形態によれば、マルチビューディスプレイが提供される。マルチビューディスプレイは、マルチビューディスプレイにより生成された複数の指向性光ビームを放射するように構成されている。さらに、放射された指向性光ビームを、マルチビューディスプレイ内の１つ又はそれ以上のマルチビューピクセル内に含まれる複数の回折格子の格子の特徴に基づいて、マルチビューディスプレイの複数のビューゾーンに向かって優先的に導くことができる。
さらに、回折格子は、指向性光ビームにおいて異なる主角度方向を生じさせることができ、これは、マルチビューディスプレイのマルチビュー画像のビューの一組における異なるビューの異なる見る方向（viewing direction）に対応する。いくつかの例では、マルチビューディスプレイは、３Ｄ又はマルチビュー画像を生成又は「表示」するように構成されている。指向性光ビームのうちの異なる指向性光ビームは、様々な例によれば、マルチビュー画像に関連する異なる「ビュー」の個々のビューピクセルに対応してもよい。異なるビューは、例えば、マルチビューディスプレイにより表示されているマルチビュー画像内に、情報の「眼鏡なしの」（例えば、オートステレオスコピックな）表現を実現することができる。
【００７３】
図８は、本明細書に記載の原理と一致する１つの実施形態による、一例における静的マルチビューディスプレイ２００のブロック図を示す。様々な実施形態によれば、静的マルチビューディスプレイ２００は、異なるビュー方向の異なるビューによりマルチビュー画像を表示するように構成されている。特に、静的マルチビューディスプレイ２００により放射された複数の指向性光ビーム２０２は、マルチビュー画像を表示するために使用され、異なるビューのピクセル（すなわち、ビューピクセル）に対応してもよい。指向性光ビーム２０２は、図８において、１つ又はそれ以上のマルチビューピクセル２１０から出る矢印として示されている。同じく図８に示したのは、静的マルチビューディスプレイ２００により生成することができるマルチビュー画像１６の第１のビュー１４’、第２のビュー１４’’及び第３のビュー１４’’’である。
【００７４】
マルチビューピクセル２１０のうちの１つに関連する指向性光ビーム２０２は、静的又は準静的のいずれかである（すなわち、能動的に変調されない）ことに留意されたい。その代わり、マルチビューピクセル２１０は、照らされているときに指向性光ビーム２０２を生成するか、又は照らされていないときに指向性光ビーム２０２を生成しないかのいずれかである。さらに、それらの指向性光ビーム２０２の方向に沿って生成された指向性光ビーム２０２の強度は、様々な実施形態によれば、静的マルチビューディスプレイ２００により表示されているマルチビュー画像１６のピクセルを定義する。さらに、マルチビュー画像１６内に表示されたビュー１４’、１４’’、１４’’’は、様々な実施形態によれば、静的又は準静的である。
【００７５】
図８に示した静的マルチビューディスプレイ２００は、マルチビューピクセル２１０のアレイを含む。アレイのマルチビューピクセル２１０は、静的マルチビューディスプレイ２００の複数の異なるビューを生成するように構成されている。様々な実施形態によれば、アレイのマルチビューピクセル２１０は、複数の指向性光ビーム２０２を回折結合して外に出す、又は放射するように構成された複数の回折格子２１２を備える。複数の指向性光ビーム２０２は、主角度方向を有することができ、これは、静的マルチビューディスプレイ２００のビューの一組における異なるビューの異なるビュー方向に対応する。さらに、回折格子２１２の格子の特徴は、回折格子２１２に対する入射光ビームの半径方向、入射光ビームを生成する光源までの距離、又はその両方に基づいて変化させたり、又は選択したりすることができる。いくつかの実施形態において、回折格子２１２及びマルチビューピクセル２１０は、上述の静的マルチビューディスプレイ１００の回折格子１３０及びマルチビューピクセル１４０それぞれと実質的にほぼ同じであってもよい。
【００７６】
図８に示す通り、静的マルチビューディスプレイ２００は、光を導波するように構成されたライトガイド２２０をさらに備える。いくつかの実施形態において、ライトガイド２２０は、静的マルチビューディスプレイ１００に関して上述のライトガイド１１０と実質的にほぼ同じであってもよい。様々な実施形態によれば、マルチビューピクセル２１０、又はとりわけ様々なマルチビューピクセル２１０の回折格子２１２は、ライトガイド２２０からの導波光の一部（又は等価的には、図示される「導波光ビーム２０４」）を複数の指向性光ビーム２０２として散乱させ、又は結合して外に出すように構成されている（すなわち、導波光は前述の入射光ビームであってもよい）。特に、マルチビューピクセル２１０は、回折散乱又は回折結合により導波光の一部（すなわち、導波光ビーム２０４）を散乱させ、又は結合して外に出すために、ライトガイド２２０に光学的に接続されている。
【００７７】
様々な実施形態において、回折格子２１２の格子の特徴は、回折格子２１２における入射導波光ビーム２０４の半径方向、導波光ビーム２０４を生成する光源間の距離、若しくはその両方に基づいて、又はそれらの関数として変化する。このようにして、マルチビューピクセル内の異なる回折格子２１２からの指向性光ビーム２０２は、静的マルチビューディスプレイ２００により生成されたマルチビュー画像のビューのピクセルに対応してもよい。
【００７８】
図８に示した静的マルチビューディスプレイ２００は、光源２３０をさらに備える。光源２３０は、光をライトガイド１１０に供給するように構成されてもよい。特に、生成された光（例えば、図８において光源２３０から出る矢印で示した光）は、ライトガイド１１０により複数の導波光ビーム２０４として導波される。複数の導波光ビームのうちの導波光ビーム２０４は、様々な実施形態によれば、ライトガイド２２０内で互いに異なる半径方向を有する。例えば、いくつかの実施形態において、導波光ビーム２０４は、非ゼロ伝搬角で生成され、いくつかの実施形態において、ライトガイド２２０内で導波光ビーム２０４の予め定められた角度広がりを実現するコリメーション係数を有する。いくつかの実施形態によれば、光源２３０は、上述の静的マルチビューディスプレイ１００の（１つ又はそれ以上の）光源１２０のうちの１つと実質的にほぼ同じであってもよい。例えば、光源２３０は、ライトガイド２２０の入力縁部に突合せ結合されていてもよい。光源２３０は、異なる半径方向を有する複数の導波光ビーム２０４を生成するために、扇形又は放射状のパターンで光を放射してもよい。
【００７９】
本明細書に記載の原理の他の実施形態によれば、静的マルチビューディスプレイの動作の方法が提供される。図９は、本明細書に記載の原理と一致する１つの実施形態による、一例における静的マルチビューディスプレイの動作の方法３００のフローチャートを示す。様々な実施形態によれば、静的マルチビュー画像の表示及び準静的マルチビュー画像の表示の片方又は両方を実現するために、静的マルチビューディスプレイの動作の方法３００が使用されてもよい。
【００８０】
図９に示す通り、静的マルチビューディスプレイの動作の方法３００は、共通の原点と、互いに異なる半径方向とを有する複数の導波光ビームとしてライトガイドに沿って光を導波するステップ３１０を含む。特に、複数の導波光ビームのうちの１つの導波光ビームは、定義上、複数の導波光ビームのうちの別の導波光ビームとは異なる伝搬の半径方向を有する。さらに、複数の導波光ビームのうちの導波光ビームのそれぞれは、定義上、共通の原点を有する。原点は、いくつかの実施形態において、仮想原点（例えば、導波光ビームの実際の原点を越える点）であってもよい。例えば、原点は、ライトガイドの外側、したがって、仮想原点であってもよい。いくつかの実施形態によれば、それに沿って光が導波される３１０ライトガイド並びにその内部で導波される導波光ビームは、静的マルチビューディスプレイ１００を参照して上述したライトガイド１１０及び導波光ビーム１１２それぞれと実質的にほぼ同じであってもよい。
【００８１】
図９に示した静的マルチビューディスプレイの動作の方法３００は、複数の回折格子を使用してマルチビュー画像を表す複数の指向性光ビームを放射するステップ３２０をさらに含む。様々な実施形態によれば、複数の回折格子のうちの１つの回折格子は、複数の導波光ビームからの光を回折結合して、又は回折散乱させて、複数の指向性光ビームのうちの１つの指向性光ビームとして外に出す。さらに、結合されて、又は散乱して外に出る指向性光ビームは、マルチビュー画像の対応するビューピクセルの強度及び主角度方向の両方を有する。特に、放射するステップ３２０により生成された複数の指向性光ビームは、マルチビュー画像のビューの一組における異なるビューピクセルに対応する主角度方向を有してもよい。さらに、複数の指向性光ビームのうちの指向性光ビームの強度は、マルチビュー画像の様々なビューピクセルの強度に対応してもよい。いくつかの実施形態において、回折格子のそれぞれは、マルチビュー画像の１つのビュー内の特定のビューピクセルに対応する単一の強度を有する単一の主角度方向の単一の指向性光ビームを生成する。いくつかの実施形態において、回折格子は、複数の回折格子（例えば、サブ格子）を含む。
さらに、いくつかの実施形態において、一組の回折格子が、静的マルチビューディスプレイのマルチビューピクセルとして配置されてもよい。
【００８２】
様々な実施形態において、放射３２０された指向性光ビームの強度及び主角度方向は、共通の原点に対する回折格子の位置に基づいている（すなわち、その関数である）回折格子の格子の特徴により制御される。特に、複数の回折格子の格子の特徴は、回折格子における入射導波光ビームの半径方向、回折格子から、導波光ビームを生成する光源までの距離、又はその両方に基づいて変化し得る（又は等価的には、それらの関数であり得る）。
【００８３】
いくつかの実施形態によれば、複数の回折格子は、上述の静的マルチビューディスプレイ１００の複数の回折格子１３０と実質的にほぼ同じであってもよい。さらに、いくつかの実施形態において、放射３２０された複数の指向性光ビームは、同じく上述の複数の指向性光ビーム１０２と実質的にほぼ同じであってもよい。例えば、主角度方向を制御する格子の特徴は、回折格子の格子ピッチ及び格子方向のうちの１つ又は両方を含んでもよい。さらに、対応するビューピクセルの強度に対応する、回折格子により生成される指向性光ビームの強度は、回折格子の回折結合効率により決定されてもよい。すなわち、強度を制御する格子の特徴は、いくつかの例では、回折格子の格子深さ、格子のサイズなどを含んでもよい。
【００８４】
示した通り、静的マルチビューディスプレイの動作の方法３００は、複数の導波光ビームとして導波される光を光源を使用して生成するステップ３３０をさらに含む。特に、光は、複数の異なる伝搬の半径方向を有する導波光ビームとして、光源を使用してライトガイドに供給される。様々な実施形態によれば、光を生成するステップ３３０において使用される光源は、ライトガイドの側面に位置しており、光源の位置は、複数の導波光ビームの共通の原点である。いくつかの実施形態において、光源は、上述の静的マルチビューディスプレイ１００の（１つ又はそれ以上の）光源１２０と実質的にほぼ同じであってもよい。特に、光源は、ライトガイドの縁部又は側面に突合せ結合されていてもよい。
さらに、光源は、いくつかの実施形態において、共通の原点となる点源に近くてもよい。
【００８５】
いくつかの実施形態（図示せず）において、静的マルチビューディスプレイの動作の方法は、第１の複数の光導波光ビームを第１の時間の間導波し、且つ第２の複数の導波光ビームを第２の期間の間の第２の時間の間導波することによりマルチビュー画像を動画化するステップをさらに含む。第１の複数の導波光ビームは、第２の複数の導波光ビームの共通の原点とは異なる共通の原点を有してもよい。例えば、光源は、例えば、上述の通り動画化を実現するように構成された、複数の横方向にオフセットした光源を含んでもよい。動画化は、いくつかの実施形態によれば、第１及び第２の時間の間のマルチビュー画像の見かけの位置のシフトを含んでもよい。
【００８６】
いくつかの実施形態において、生成３３０された光は、実質的にコリメートされていない。他の実施形態において、生成３３０された光は、コリメートされてもよい（例えば、光源は、コリメータを備えてもよい）。様々な実施形態において、生成３３０された光は、ライトガイドの表面の間のライトガイド内で非ゼロ伝搬角で異なる半径方向を有して導波されてもよい。ライトガイド内でコリメートされるとき、生成３３０された光は、ライトガイド内で導波光の予め定められた角度広がりを確立するコリメーション係数にしたがってコリメートされてもよい。
【００８７】
このように、互いに異なる半径方向を有する導波光ビームから静的又は準静的マルチビュー画像を表す複数の指向性光ビームを生成するように構成された回折格子を有する静的マルチビューディスプレイ及び静的マルチビューディスプレイの動作の方法の例及び実施形態を説明してきた。上述の例は、本明細書に記載の原理を表す多くの具体例のいくつかの単なる例示であると理解されるべきである。明らかに、当業者は、以下の特許請求の範囲により定義される範囲から逸脱することなく多くの他の配置を容易に考案することができる。
【図１Ａ】
2020507798.tif 000004
【図１Ｂ】
2020507798.tif 000005
【図２】
2020507798.tif 000006
【図３Ａ】
2020507798.tif 000007
【図３Ｂ】
2020507798.tif 000008
【図３Ｃ】
2020507798.tif 000009
【図４】
2020507798.tif 000010
【図５Ａ】
2020507798.tif 000011
【図５Ｂ】
2020507798.tif 000012
【図６Ａ】
2020507798.tif 000013
【図６Ｂ】
2020507798.tif 000014
【図７Ａ】
2020507798.tif 000015
【図７Ｂ】
2020507798.tif 000016
【図８】
2020507798.tif 000017
【図９】
2020507798.tif 000018
【手続補正書】
【提出日】令和1年7月3日(2019.7.3)
【手続補正１】
【補正対象書類名】明細書
【補正対象項目名】００２６
【補正方法】変更
【補正の内容】
【００２６】
図２は、本明細書に記載の原理と一致する１つの実施形態による、一例における回折格子３０の断面図を示す。例えば、回折格子３０は、ライトガイド４０の表面上に位置していてもよい。さらに、図２は、回折格子３０に入射角θｉで入射する光ビーム（又は光ビームの集合）５０を示す。光ビーム５０は、ライトガイド４０内の導波光ビームである。同じく図２に示したのは、入射光ビーム５０の回折の結果、回折格子３０により回折により生成され、結合されて外に出た、結合されて外に出た光ビーム（又は光ビームの集合）６０である。結合されて外に出た光ビーム６０は、式（１）で記述される回折角θｍ（又は本明細書における「主角度方向」）を有する。結合されて外に出た光ビーム６０は、例えば、回折格子３０の回折次数「ｍ」に対応してもよい。
【手続補正２】
【補正対象書類名】明細書
【補正対象項目名】００５２
【補正方法】変更
【補正の内容】
【００５２】
図４は、本明細書に記載の原理と一致する１つの実施形態による、一例における静的マルチビューディスプレイ１００の平面図を示す。図４において、ライトガイド１１０の側面１１４にある光源１２０の入力位置１１６からの距離Ｄである角度空間内の照射ボリューム（illumination volume）１３４が示されている。照射ボリュームは、ｙ軸からｘ軸に向かって離れて複数の導波光ビーム１１２の伝搬の半径方向の角度が変化するにつれて、より広い角度サイズを有することに留意されたい。例えば、照射ボリューム１３４ｂは、示す通り、照射ボリューム１３４ａよりも広い。
【手続補正３】
【補正対象書類名】明細書
【補正対象項目名】００５５
【補正方法】変更
【補正の内容】
【００５５】
いくつかの実施形態において、特にそれらのスプリアス反射源によって意図しない方向に光ビームが放射され、静的マルチビューディスプレイ１００により意図しない画像が生成される可能性があるとき、静的マルチビューディスプレイ１００内の導波光ビーム１１２のスプリアス反射の様々な源を緩和し、場合によってはさらに実質的に排除できるようになっている。様々な潜在的なスプリアス反射源の例には、これに限定されないが、導波光ビーム１１２の二次反射を引き起こす可能性のあるライトガイド１１０の側壁が含まれる。静的マルチビューディスプレイ１００内の様々なスプリアス反射源からの反射は、これらに限定されないが、スプリアス反射の吸収及び制御されたリダイレクションを含むいくつかの方法のいずれかにより緩和することができる。
【手続補正４】
【補正対象書類名】明細書
【補正対象項目名】００５７
【補正方法】変更
【補正の内容】
【００５７】
図５Ａにおいて、静的マルチビューディスプレイ１００は、ライトガイド１１０の側壁１１４ａ、１１４ｂに吸収層１１９をさらに備える。吸収層１１９は、導波光ビーム１１２からの入射光を吸収するように構成されている。吸収層は、これに限定されないが、例えば、側壁１１４ａ、１１４ｂに塗布された黒色塗料を含む実質的に任意の光吸収体を含んでもよい。図５Ａに示す通り、限定ではなく例として、吸収層１１９は側壁１１４ｂに塗布されているが、側壁１１４ａには吸収層１１９がない。吸収層１１９は、入射導波光ビーム１１２を遮断及び吸収して、側壁１１４ｂからの潜在的なスプリアス反射の発生を効果的に防止又は緩和する。一方、側壁１１４ａに入射する導波光ビーム１１２は反射して、限定ではなく例として示した反射された導波光ビーム１１２’を発生させる。
【手続補正５】
【補正対象書類名】明細書
【補正対象項目名】００５８
【補正方法】変更
【補正の内容】
【００５８】
図５Ｂは、制御された反射角を使用するスプリアス反射緩和を示す。特に、図５Ｂに示した静的マルチビューディスプレイ１００のライトガイド１１０は、傾斜した側壁１１４ａ、１１４ｂを備える。傾斜した側壁は、回折格子１３０から実質的に離れた、反射された導波光ビーム１１２’を優先的に導くように構成された傾斜角を有する。したがって、反射された導波光ビーム１１２’は、回折結合されて意図しない指向性光ビームとしてライトガイド１１０の外に出ることはない。側壁１１４ａ、１１４ｂの傾斜角は、示す通り、ｘ−ｙ平面内にあってもよい。他の例（図示せず）において、側壁１１４ａ、１１４ｂの傾斜角は、反射された導波光ビーム１１２’をライトガイド１１０の上面又は下面の外に導くために、別の平面内、例えば、ｘ−ｚ平面内にあってもよい。図５Ｂは、限定ではなく例として、その一部のみに沿った傾斜を含む側壁１１４ａ、１１４ｂを示すことに留意されたい。
【手続補正６】
【補正対象書類名】明細書
【補正対象項目名】００７８
【補正方法】変更
【補正の内容】
【００７８】
図８に示した静的マルチビューディスプレイ２００は、光源２３０をさらに備える。光源２３０は、光をライトガイド２２０に供給するように構成されてもよい。特に、生成された光（例えば、図８において光源２３０から出る矢印で示した光）は、ライトガイド２２０により複数の導波光ビーム２０４として導波される。複数の導波光ビームのうちの導波光ビーム２０４は、様々な実施形態によれば、ライトガイド２２０内で互いに異なる半径方向を有する。例えば、いくつかの実施形態において、導波光ビーム２０４は、非ゼロ伝搬角で生成され、いくつかの実施形態において、ライトガイド２２０内で導波光ビーム２０４の予め定められた角度広がりを実現するコリメーション係数を有する。いくつかの実施形態によれば、光源２３０は、上述の静的マルチビューディスプレイ１００の（１つ又はそれ以上の）光源１２０のうちの１つと実質的にほぼ同じであってもよい。例えば、光源２３０は、ライトガイド２２０の入力縁部に突合せ結合されていてもよい。光源２３０は、異なる半径方向を有する複数の導波光ビーム２０４を生成するために、扇形又は放射状のパターンで光を放射してもよい。
【国際調査報告】
2020507798.tif 000019
2020507798.tif 000020